(57)【要約】      （修正有）【課題】車両用地震発生お知らせ装置を備え、地震情報を得た者が瞬時にかつ簡易的に、地震情報を周りに知らせる事が出来、非常停車などの意思表示が明確になるばかりでなく、道路上での混乱を防ぎ交通事故を未然に防ぐ事が出来る。【解決手段】車両用地震発生予告お知らせ装置はスイッチと、方向指示器４及び表示灯６とを備えている。方向指示器を利用する場合には、ハザードのように４個が一斉に点滅するのではなく、前部及び後部が互いになるような点滅をする。【選択図】図３
2007207208.tif 000002
【特許請求の範囲】
【請求項１】
自動車に乗車中（運転中及び停車中）に、地震発生時及び地震予告を知った際に、スイッチを作動させ、他の自動車及び二輪車の運転者、また歩行者へ地震発生及び地震予告を知らせ、走行中には停止させる意思表示となり、停車中には停車の理由となる合図を発生させる車両用地震発生お知らせ装置。
【請求項２】
自動車に設置されている方向指示器やヘッドライトを利用し、今までに無い変則的な動作また点滅により、他の自動車及び二輪車の運転者、また歩行者へ地震発生及び地震予告を知らせ、走行中には停止させる意思表示となり、停車中には停車の理由となる合図を発生させる車両用地震発生お知らせ装置。
【請求項３】
自動車に取り付けた、サインボードや表示灯を点灯及び点滅させ、他の自動車及び二輪車の運転者、また歩行者へ地震発生及び地震予告を知らせ、走行中には停止させる意思表示となり、停車中には停車の理由となる合図を発生させる車両用地震発生お知らせ装置。
【請求項４】
前記スイッチは、地震予告の情報を自動的に得られる場合には、自動的に情報と連動して自動車を運転している者にも地震発生予告を知らせる事の出来る、車両用地震発生お知らせ装置。
【発明の詳細な説明】
【技術分野】
【０００１】  本考案は、自動車事故の防止、緊急事態を知らせるものであり、自動車の運転及び停車中に、地震発生及び地震予告を知った場合に、他の自動車及び二輪車の運転者、また歩行者へ地震発生及び地震予告を知らせ、走行中には停止させる意思表示となり、停車中には停車の理由となる合図を発生させる車両用地震発生お知らせ装置に関する。
【背景技術】
【０００２】  地震発生直前、地震発生時自動車等の移動体にあっては、ラジオ等を聞いて単体ごとに対応を取ることしかできない。
地震のメカニズムが研究され、地震による大きな揺れを、数秒程度ではあるが近い将来、知ることが可能となり得る。
【発明の開示】
【発明が解決しようとする課題】
【０００３】  しかしながら、自動車の運転中に地震が発生する可能性も高い。自動車走行中に地震が発生した場合、自動車事故を起こしてしまう可能性が高いので安全に自動車を安全の場所に停車させなければならない。【０００４】  地震発生予告が可能となった場合には、メディアや信号等を通して、地震発生時には地震発生予告が報じられ、自動車走行中の運転者は緊急停車をする事となり、情報を得ていない運転者は継続し走行を続けるといった現象がおこり、交通事故が発生してしまう。【０００５】  地震発生予告がラジオ等にて報じられた場合であっても、その地震発生予告を運転者また道路上の歩行者全員に知らせる手段がない。【０００６】  地震発生予告を知り得た運転者が、周りの自動車、二輪車、歩行者へ知らせてあげる手段がない。【０００７】  地震発生予告を知り得た運転者が、走行中また停車中に、地震発生の為の運転停止及び、退避の意思を、周りの自動車、二輪車、歩行者へ知らせる手段がない。【０００８】  以上のことから、地震発生予告を知った運転者は、周りの自動車、二輪車、歩行者へ地震発生予告の情報を伝えるとともに、自ら自動車を安全に停車させ、また停車の理由も明確にする事により、交通事故を発生させずに効果的に地震発生予告を、道路上全員に知らせる事が望まれている。
【課題を解決するための手段】
【０００９】  上記目的を達成する請求項１に記載の発明は、地震発生を感じた場合及び地震の発生予告の情報を得た場合に活用する手段であり、スイッチを作動させる事により、他の自動車及び二輪車の運転者、また歩行者へ地震の発生及び地震予告を知らせ、走行中には停車させる意思表示となり、停車中には停車の理由となる合図を発生させる事が出来る装置であることを特徴とする。【００１０】  請求項２に記載の発明は、自動車に設置されている方向指示器やヘッドライトを利用し、変則的な動作また点滅により、他の自動車及び二輪車の運転者、また歩行者へ地震の発生及び地震予告を知らせ、走行中には停車させる意思表示となり、停車中には停車の理由となる合図を発生させる事が出来る装置であることを特徴とする。【００１１】    請求項３に記載の発明は、自動車に取り付けた、サインボードや表示灯を点灯及び点滅させ、他の自動車及び二輪車の運転者、また歩行者へ地震の発生及び地震予告を知らせ、走行中には停車させる意思表示となり、停車中には停車の理由となる合図を発生させる事が出来る装置であることを特徴とする。【００１２】  請求項４に記載の発明は、地震発生予告の情報が自動的に得られる場合には、その情報を得たと同時に車両用地震発生お知らせ装置を作動させる事の出来る装置であることを特徴とする。
【発明の効果】
【００１３】    本発明にあっては次に列挙する効果が得られる。【００１４】（１）自動車に搭載され車両用地震発生予告お知らせ装置という内容のスイッチと、スイッチの作動により車外及び外から目立つ場所にある、方向指示器又はヘッドライトの変則的な点滅、（サインボードによる表示も可能）により周りの自動車、二輪車、歩行者へ、地震発生予告を知らせる効果が得られる。【００１５】（２）車両用地震発生予告お知らせ装置は、自ら運転する車両を停車させる意思表示となる効果が得られる。【００１６】（３）車両用地震発生予告お知らせ装置は、自ら運転する車両が停車中の場合には停車理由を明確にする効果が得られる。【００１７】（４）車両用地震発生予告お知らせ装置は、地震発生予告を知り得た運転者が作動させる事により、自ら運転の退避及び停車の意思表示と同時に、周りの地震発生予告を知らない自動車、二輪車、歩行者へ地震発生予告の情報を伝達する効果が得られる。【００１８】（５）車両用地震発生予告を知った運転者と知らない運転者との道路上の通行の混乱を防ぎ、地震発生予告の発生を周知させる事により、交通事故を防止する効果が得られる。
【発明を実施するための最良の形態】
【実施例１】
【００１９】  以下、本発明に係る地震発生予告お知らせ装置の実施の形態を、図面を参照して詳細に説明する。尚、これらの図は本考案を説明するためだけのものであり、本考案を何ら限定するものではない。【００２０】  図１ないし図２に示す本発明に係る最良の形態において、図１は本発明の車両用地震発生予告お知らせ装置を示す概略図である。図１及び図２は基本図であり、図３は表示灯（後付）を用いた場合の図である。また、図４は方向指示器を利用してお知らせする場合の例の図であり、図５は方向指示器の基本配線の図であり、図６は車両用地震発生予告お知らせ装置を方向指示器を利用する場合の配線（例）の図である。【００２１】  本発明の車両用地震発生予告お知らせ装置は図１に示すようにスイッチと、図２及び図３に示すような方向指示器及び表示灯とを備えている。方向指示器を利用する場合には、ハザードのように４個が一斉に点滅するのではなく、前部及び後部が互いになるような点滅をする（例）を備えている。
【図面の簡単な説明】
【００２２】
【図１】  本発明の実施の形態に係る車両用地震発生予告お知らせ装置のスイッチ示す概略図である。
【図２】  本発明の実施の形態に係る車両用地震発生お知らせ装置の表示を示す概略図である。
【図３】  本発明の実施の形態に係る車両用地震発生お知らせ装置のサインボードを用いた場合の略図である。
【図４】  方向指示器を用いた場合の概略図であり、上段と下段のような点滅を繰り返すひとつの例を表した略図である。
【図５】  方向指示灯を利用する場合、従来のハザード技術の参考配線図である。
【図６】  方向指示灯を利用する場合、車両用地震発生お知らせ装置の参考配線図である。
【符号の説明】
【００２３】  １：車両用地震発生お知らせスイッチ、    ２：速度計、
３：ハンドル                            ４：方向指示器、
５：ヘッドライト                        ６：表示灯（ＬＥＤ）
７：ハザードスイッチ                    ８：バッテリー
９：リレースイッチ（ハザード用）
１０：リレースイッチ（車両用地震発生お知らせ装置用）
【図１】
2007207208.tif 000003
【図２】
2007207208.tif 000004
【図３】
2007207208.tif 000005
【図４】
2007207208.tif 000006
【図５】
2007207208.tif 000007
【図６】
2007207208.tif 000008